(57)【要約】【課題】表示される映像の特性に応じて適切に発光素子の駆動させるようにしたバックライトユニット及び表示装置を提供すること。【解決手段】本発明に従うバックライトユニットは、複数個の発光素子を含む発光モジュールと、上記発光モジュールの動作を制御する制御部と、上記発光モジュールの一側に配置される光ガイドプレートと、上記光ガイドプレートの上または下に配置される光学部材と、を含む。上記発光モジュールは、第１発光素子と、第２発光素子と、を含み、上記第１発光素子の直進性が上記第２発光素子の直進性より高く、かつ上記第１発光素子の指向角が上記第２発光素子の指向角より小さく形成される。上記制御部は、上記第１発光素子または上記第２発光素子を選択的に駆動させる。【選択図】図２
2011146383.tif 000002
【特許請求の範囲】
【請求項１】
複数個の発光素子を含む発光モジュールと、
前記発光モジュールの動作を制御する制御部と、
前記発光モジュールの一側に配置される光ガイドプレートと、
前記光ガイドプレートの上または下に配置される光学部材と、を含み、
前記発光モジュールは、第１発光素子と、第２発光素子と、を含み、
前記第１発光素子の直進性が前記第２発光素子の直進性より高く、かつ前記第１発光素子の指向角が前記第２発光素子の指向角より小さく形成され、
前記制御部は、前記第１発光素子または前記第２発光素子を選択的に駆動させることを特徴とする、バックライトユニット。
【請求項２】
前記第１発光素子の指向角が４５度以上、１００度未満であり、前記第２発光素子の指向角が１００度以上、１５０度以下であることを特徴とする、請求項１に記載のバックライトユニット。
【請求項３】
前記第１発光素子の指向角が６０度以上、９０度以下であり、前記第２発光素子の指向角が１２０度以上、１５０度以下であることを特徴とする、請求項２に記載のバックライトユニット。
【請求項４】
前記第１発光素子及び第２発光素子は、１つずつ繰り返して配列されることを特徴とする、請求項１に記載のバックライトユニット。
【請求項５】
前記第１発光素子の複数個と、前記第２発光素子の１つが繰り返して配列されることを特徴とする、請求項１に記載のバックライトユニット。
【請求項６】
前記発光モジュールは前記光ガイドプレートを挟んで互いに対向するように配置される第１発光モジュールと、第２発光モジュールと、を含むことを特徴とする、請求項１に記載のバックライトユニット。
【請求項７】
前記発光モジュールは互いに垂直に配置される第１発光モジュールと、第２発光モジュールと、を含むことを特徴とする、請求項１に記載のバックライトユニット。
【請求項８】
前記第１発光モジュールでの発光素子の配置と、前記第２発光モジュールでの発光素子の配置とは相異するように構成されることを特徴とする、請求項７に記載のバックライトユニット。
【請求項９】
前記発光モジュールは、前記第１発光モジュールに対向するように配置される第３発光モジュールと、前記第２発光モジュールに対向するように配置される第４発光モジュールとをさらに含むことを特徴とする、請求項８に記載のバックライトユニット。
【請求項１０】
映像が表示される表示パネルと、
前記表示パネル側に照射される光を発生させる発光モジュールと、
前記発光モジュールの一側に配置され、前記光を前記表示パネル側に案内する光ガイドプレートと、
前記表示パネルを通じて表示される映像に対する映像データを受信して、前記映像データに従って前記発光モジュールの動作を制御する制御部と、を含み、
前記発光モジュールは、第１発光素子と、第２発光素子と、を含み、
前記第１発光素子の直進性が前記第２発光素子の直進性より高く、かつ前記第１発光素子の指向角が前記第２発光素子の指向角より小さく形成され、
前記制御部は入力される前記映像データに従って前記第１発光素子または前記第２発光素子を選択的に動作させることを特徴とする、表示装置。
【請求項１１】
前記第１発光素子の指向角が４５度以上、１００度未満であり、前記第２発光素子の指向角が１００度以上、１５０度以下であることを特徴とする、請求項１０に記載の表示装置。
【請求項１２】
前記第１発光素子の指向角が６０度以上、９０度以下であり、前記第２発光素子の指向角が１２０度以上、１５０度以下であることを特徴とする、請求項１０に記載の表示装置。
【請求項１３】
前記制御部は、前記表示パネルを通じて表示される映像の局部的な明るさ調節のために、前記第１発光素子を駆動させることを特徴とする、請求項１０に記載の表示装置。
【請求項１４】
前記制御部は、駆動される前記第１発光素子に隣接するように配置される前記第２発光素子を共に駆動させることを特徴とする、請求項１０に記載の表示装置。
【請求項１５】
前記発光モジュールは、前記光ガイドプレートを挟んで互いに対向するように配置されるか、互いに垂直に配置される第１発光モジュールと第２発光モジュールとを含むことを特徴とする、請求項１０に記載の表示装置。
【請求項１６】
前記第１発光モジュールまたは前記第２発光モジュールは、前記第１発光素子及び第２発光素子が各々１つずつ規則的に繰り返して配置されることを特徴とする、請求項１５に記載の表示装置。
【請求項１７】
前記第１発光モジュールまたは前記第２発光モジュールは、複数個の第１発光素子と１つの第２発光素子とが繰り返して配列されることを特徴とする、請求項１５に記載の表示装置。
【請求項１８】
前記第１発光モジュールまたは前記第２発光モジュールは、１つの第１発光素子と複数個の第２発光素子とが繰り返して配列されることを特徴とする、請求項１５に記載の表示装置。
【請求項１９】
前記発光モジュールは、前記光ガイドプレートの４側面に各々配置される第１発光モジュール、第２発光モジュール、第３発光モジュール、及び第４発光モジュールを含むことを特徴とする、請求項１０に記載の表示装置。
【請求項２０】
前記発光モジュールは、互いに隣接するように配置される第１発光モジュールと、第２発光モジュールとを含み、
前記第１発光モジュールでの発光素子の配置と、前記第２発光モジュールでの発光素子の配置とは相異するように構成されることを特徴とする、請求項１０に記載の表示装置。
【発明の詳細な説明】
【技術分野】
【０００１】
本発明は、バックライトユニット及び表示装置に関するものである。
【背景技術】
【０００２】
発光ダイオード（Light Emitting Diode：ＬＥＤ）は電流を光に変換させる半導体発光素子である。最近、発光ダイオードは輝度が徐々に増加するようになって、ディスプレイ用光源、自動車用光源、及び照明用光源への使用が増加しており、蛍光物質を利用するか、多様な色の発光ダイオードを組合せることによって、効率に優れる白色光を発光する発光ダイオードも具現可能である。
【０００３】
上記発光ダイオードの輝度は、活性層の構造、光を外部に効果的に抽出できる光抽出構造、上記発光ダイオードに使われた半導体材料、チップのサイズ、上記発光ダイオードを囲むモールディング部材の種類など、多様な条件により左右される。
【０００４】
このような発光ダイオードはパッケージ化されて、バックライトユニット、表示装置などに適用できる。
【発明の概要】
【発明が解決しようとする課題】
【０００５】
本発明の目的は、表示される映像の特性に応じて適切に発光素子の駆動させるようにしたバックライトユニット及び表示装置を提供することである。
【課題を解決するための手段】
【０００６】
本発明に従うバックライトユニットは、複数個の発光素子を含む発光モジュールと、上記発光モジュールの動作を制御する制御部と、上記発光モジュールの一側に配置される光ガイドプレートと、上記光ガイドプレートの上または下に配置される光学部材と、を含む。上記発光モジュールは、第１発光素子と、第２発光素子と、を含む。上記第１発光素子の直進性が上記第２発光素子の直進性より高く、かつ上記第１発光素子の指向角が上記第２発光素子の指向角より小さく形成される。上記制御部は、上記第１発光素子または上記第２発光素子を選択的に駆動させる。
【０００７】
本発明に従う表示装置は、映像が表示される表示パネルと、上記表示パネル側に照射される光を発生させる発光モジュールと、上記発光モジュールの一側に配置され、上記光を上記表示パネル側に案内する光ガイドプレートと、上記表示パネルを通じて表示される映像に対する映像データを受信して、上記映像データに従って上記発光モジュールの動作を制御する制御部と、を含む。上記発光モジュールは、第１発光素子と、第２発光素子と、を含む。上記第１発光素子の直進性が上記第２発光素子の直進性より高く、かつ上記第１発光素子の指向角が上記第２発光素子の指向角より小さく形成される。上記制御部は、入力される上記映像データに従って上記第１発光素子または上記第２発光素子を選択的に動作させる。 
【図面の簡単な説明】
【０００８】
【図１】本発明の実施形態の表示装置の構成を示すブロック図である。
【図２】本発明の実施形態に従って光学的特性が異なる発光素子を示す図である。
【図３】本発明の第１実施形態に従う表示装置の構成を概略的に示す図である。
【図４】本発明の第１実施形態に従う表示装置で遂行されるディミングの例を示す図である。
【図５】本発明の第１実施形態に従う表示装置で遂行されるディミングの例を示す図である。
【図６】本発明の第１実施形態に従う表示装置で遂行されるディミングの例を示す図である。
【図７】本発明の第２実施形態に従う表示装置の構成を概略的に示す図である。
【図８】本発明の第３実施形態に従う表示装置の構成を概略的に示す図である。
【図９】本発明の第２実施形態及び第３実施形態に従う表示装置で遂行されるディミングの例を示す図である。
【図１０】本発明の第２実施形態及び第３実施形態に従う表示装置で遂行されるディミングの例を示す図である。
【図１１】本発明の第２実施形態及び第３実施形態に従う表示装置で遂行されるディミングの例を示す図である。
【図１２】本発明の第２実施形態及び第３実施形態に従う表示装置で遂行されるディミングの例を示す図である。
【図１３】本発明の第４実施形態に従う表示装置の構成を概略的に示す図である。
【図１４】本発明の第４実施形態に従う表示装置で遂行されるディミングの例を示す図である。
【図１５】本発明の第４実施形態に従う表示装置で遂行されるディミングの例を示す図である。
【図１６】本発明の第４実施形態に従う表示装置で遂行されるディミングの例を示す図である。
【発明を実施するための形態】
【０００９】
以下、本実施形態に対して添付される図面を参照して詳細に説明する。但し、本実施形態が開示する事項から本実施形態が有する発明の思想の範囲が定まることができ、本実施形態が有する発明の思想は提案される実施形態に対し、構成要素の追加、削除、変更などの実施変形を含む。
【００１０】
図１は本実施形態の表示装置の構成を示すブロック図であり、図２は本実施形態に従って光学的特性が異なる発光素子を示す図である。
【００１１】
実施形態の表示装置は入力される映像データに従って発光モジュール２００の動作を制御する制御部１１０と、入力される映像データが表示パネル１４０を通じて出力されるようにするデータ出力部１３０と、を含む。但し、上記データ出力部１３０は、上記制御部１１０と一体でマイクロプロセッサで構成できることは当然である。
【００１２】
上記制御部１１０は、入力される映像データに従って上記発光モジュール２００の動作を制御するが、特に、上記発光モジュール２００を構成する発光素子を選択的に駆動させる。
【００１３】
本実施形態によれば、図２に示すように、発光素子は光学的特性が異なるものから構成され、例えば、直進性に優れる（つまり、直進性が高い）発光素子２１１と、指向角の大きい発光素子２１２が共に使われる。ここで、直進性に優れるということと、指向角特性に優れるということは、相対的に比較されることができ、直進性と指向角に対し、各々しきい値を設定して置き、この値を基準にして直進性の特性に優れる発光素子または指向角特性に優れる発光素子に区別可能である。
【００１４】
一例として、直進性に優れる発光素子２１１は、指向角が４５度超過、１００度未満であり、指向角の大きい発光素子２１２は指向角が１００度以上、１５０度以下でありうる。この際、直進性に優れる発光素子２１１の指向角が６０度以上、９０度以下であり、指向角の大きい発光素子２１２の指向角が１２０度以上、１５０度以下でありうる。
【００１５】
また、直進性の特性に優れる発光素子２１１と、指向角特性に優れる発光素子２１２は、パッケージの上側のレンズの有無、またはレンズの形状に従って決定できる。例えば、直進性に優れる発光素子は、ＧａＮ、ＩｎＧａＮ、ＡｌＧａＮ、またはＡｌＧａＩｎＮ系列の青色発光するレーザダイオードを使用して製造できる。
【００１６】
このように直進性の特性に優れる発光素子の場合は、光が遠くに到達する長所がある一方、光ガイドプレートの入光部で発光素子と隣接した部分のみ明るくなるホットスポットが発生する場合が多い。
【００１７】
一方、指向角の特性に優れる発光素子は、ダイオードの上にレンズを形成するか、上記レンズの表面が屈曲されるようにして光が上記の表面で一部散乱される効果を期することによって、指向角の特性が優秀になり得る。
【００１８】
但し、このような指向角に優れる発光素子の場合は、上記のようなホットスポットの問題が発生する虞が小さいが、照射距離が短くて光効率が落ちることがある。以下では、光学的特性が互いに相異する発光素子に対し、第１発光素子２１１と第２発光素子２１２と呼ぶことにする。但し、理解を助けるために、第１発光素子２１１を光の直進性が相対的に優れる発光素子と、第２発光素子２１２を光の指向角特性が相対的に優れる発光素子と考えてもよい。
【００１９】
このような互いに異なる特性を有する発光素子を用いて、上記制御部１１０はディミングを遂行する領域を選択し、それに対応する発光素子が駆動されるように上記発光モジュール２００を制御する。上記制御部１１０による発光モジュールの駆動制御は添付の図面を参照して以下に詳細に説明する。
【００２０】
一方、映像データを受信する制御部１１０の入力端にはデータシンク部がさらに備えられることができ、グラフィックカードまたはＴＶ装置のような構成要素から入力されるＲ、Ｇ、Ｂ映像データを各々入力を受けて１フレーム分の映像データに結合することができる。そして、上記データ出力部１３０は、データシンク部に入力される映像データを表示パネル１４０の駆動のための種々のドライバーの制御信号を生成するタイミングコントローラに伝達することができる。
【００２１】
上記制御部１１０は、入力される映像データの映像信号から局部的に映像をより明るくしたり、より暗くする必要があると判断する場合に、該当領域に対してディミングがなされるようにする。
【００２２】
以下では、上記制御部１１０が発光モジュール２００を制御することによって、ディミングがなされることについて詳細に説明する。
【００２３】
図３は、本発明の第１実施形態に従う表示装置の構成を概略的に示す図である。
【００２４】
図３は、実施形態に従って光学的特性が相異する発光素子を持つ発光モジュールが含まれる表示装置を示す斜視図である。
【００２５】
図３を参照すると、表示装置は、発光素子２１０を含む発光モジュール２００、反射プレート１０１、光ガイドプレート１０３、光学シート１０５、及び表示パネル１４０を含む。
【００２６】
上記発光モジュール２００は、光ガイドプレート１０３の一側面に位置し、発光された光は上記光ガイドプレート１０３の側面に入射される。上記発光モジュール２００は、複数個の発光素子２１０が基板２２０に載置される構造からなることができる。
【００２７】
上記光ガイドプレート１０３は、入射された光を全領域にガイドして、面光源に放出されるようにする。また、上記光ガイドプレート１０３のどの一面は反射パターンが形成できる。
【００２８】
上記反射プレート１０１は、光ガイドプレート１０３の下に配置され、上記光ガイドプレート１０３から下に漏洩される光を反射させる。
【００２９】
上記光ガイドプレート１０３から放出された光は光学シート１０５を通じて表示パネル１４０に照射される。ここで、上記光学シート１０５は、拡散シート、プリズムシートのうち、少なくとも一枚を含むことができる。上記拡散シートは、光ガイドプレート１０３の上に配置され、入射される光を拡散させる。そして、上記プリズムシートは、上記拡散シートの上に配置されることができ、拡散される光を表示領域に集光させる。
【００３０】
ここで、発光モジュール２００、光ガイドプレート１０３、及び光学シート１０５は、バックライトユニットと定義されることができ、上記バックライトユニットは反射プレート１０１を含むことができる。また、上記バックライトユニットの構成要素の一部は図示しないモールドフレーム、シャーシ構造物、及び金属ボトムカバーのような構造物に収納できる。
【００３１】
上記表示パネル１４０は液晶パネルであって、２つの透明な基板と液晶とを含み、透過される光と液晶駆動により情報を表示することができる。このような表示パネル１４０に対しては限定されず、変更できる。また、光ガイドプレート１０３の両側に表示パネルが配置できる。
【００３２】
このような表示装置は、携帯電話、ＰＭＰなどの携帯端末機やコンピュータに適用できる。
【００３３】
本実施形態に従って上記発光モジュール２００の発光素子２１０は互いに異なる光学的特性を有する発光素子を含むものであり、これに対しては、図４乃至図６に例示的に図示される。
【００３４】
図４乃至図６は、本発明の第１実施形態に従う表示装置で遂行されるディミングの例を示す図である。
【００３５】
まず、図４乃至図６には光ガイドプレート１０３のどの一側に設けられる単一の発光モジュール２００が図示され、上記発光モジュール２００には直進性に優れる第１発光素子２１１と、指向角特性に優れる第２発光素子２１２とが各々複数個形成される。
【００３６】
図４を参照すると、第１発光素子２１１及び第２発光素子２１２が各々１つずつ交互に配列される例が図示され、表示パネルを通じて表示される映像に対し、第１領域６０１、第２領域６０２、及び第３領域６０３に局部的に輝度を向上させるために、上記第１、第２、及び第３領域に各々対応する第１発光素子２１１ａ、２１１ｂ、２１１ｃが制御部１１０の制御によって駆動できる。
【００３７】
即ち、上記制御部１１０は表示映像に対して局部的に明るさを調節しようとする場合に、表示映像の該当領域に対応する発光素子を選択する。ここで、上記制御部１１０は、図示されたように、上下方向に長く局部的に明るさを調節しようとする場合に、直進性に優れる第１発光素子のうち、該当領域に対応する第１発光素子を駆動させる。
【００３８】
そして、上記制御部１１０は直進性に優れる第１発光素子が駆動されることによって表れることができるホットスポットを減らすために、駆動される第１発光素子２１１ａ、２１１ｂ、２１１ｃに隣接した第２発光素子２１２を共に駆動させることができる。
【００３９】
結局、上記第１発光素子２１１及び第２発光素子２１２の位置によって表示映像の局部領域に対する明るさ調節が遂行されることができ、上記制御部１１０は上記第１発光素子２１１及び第２発光素子２１２の位置を考慮して明るさ調節を遂行する表示映像の領域を決定することができる。
【００４０】
図５には、２つの第１発光素子２１１と１つの第２発光素子２１２とが繰り返して配列される場合が例示される。上記制御部１１０が表示映像のうち、第４領域６０４に対して局部的に明るさを調節しようとする場合に、上記制御部１１０は第４領域６０４に対応する２つの第１発光素子２１１ｄ、２１１ｅを駆動させることができる。
【００４１】
この場合も、前述したように、直進性に優れる発光素子の駆動によって発生できるホットスポットを減らすために、駆動される第１発光素子に隣接した第２発光素子を共に駆動させることができる。
【００４２】
図６には、１つの第１発光素子２１１と２つの第２発光素子２１２とが繰り返して配列される場合が例示される。上記制御部１１０が表示映像のうち、第１領域６０１及び第５領域６０５に対して局部的に明るさを調節しようとする場合に、上記制御部１１０は第１領域６０１及び第５領域６０５に対応する第１発光素子２１１ｆ、２１１ｇを駆動させることができる。
【００４３】
この場合も、直進性に優れる発光素子の駆動により発生できるホットスポットを減らすために、駆動される第１発光素子に隣接した第２発光素子を共に駆動させることができる。
【００４４】
図７は本発明の第２実施形態に従う表示装置の構成を概略的に示す図であり、図８は本発明の第３実施形態に従う表示装置の構成を概略的に示す図である。
【００４５】
図７及び図８を参照すると、表示装置は、発光素子２１０を含む第１発光モジュール２００、第２発光モジュール３００、反射プレート１０１、光ガイドプレート１０３、光学シート１０５、及び表示パネル１４０を含む。上記第１発光モジュール及び第２発光モジュール２００、３００は、複数個の発光素子２１０、３１０が基板２２０、３２０に載置される構造からなることができる。
【００４６】
第１発光モジュール２００及び第２発光モジュール３００の各々は光ガイドプレート１０３の各側面に位置し、図７に示すように、上記第１発光モジュール２００と第２発光モジュール３００とは互いに対向するように配置できる。また、図８に示すように、上記第１発光モジュール２００及び第２発光モジュール３００は、上記光ガイドプレート１０３に対して垂直な側面に各々配置できる。第２実施形態及び第３実施形態は、上記第１発光モジュール２００及び第２発光モジュール３００の配置に応じた相違であるので、以下では共に説明する。
【００４７】
上記第１発光モジュール及び第２発光モジュール２００、３００から出射される光は上記光ガイドプレート１０３の側面に入射される。
【００４８】
上記光ガイドプレート１０３は、入射された光を全領域にガイドして、面光源に放出されるようにする。また、上記光ガイドプレート１０３のどの一面は反射パターンが形成できる。
【００４９】
上記反射プレート１０１は光ガイドプレート１０３の下に配置され、上記光ガイドプレート１０３から下に漏洩される光を反射させる。
【００５０】
上記光ガイドプレート１０３から放出された光は光学シート１０５を通じて表示パネル１４０に照射される。ここで、上記光学シート１０５は、拡散シート、プリズムシートのうち、少なくとも一枚を含むことができる。上記拡散シートは、光ガイドプレート１０３の上に配置され、入射される光を拡散させる。そして、上記プリズムシートは、上記拡散シートの上に配置されることができ、拡散される光を表示領域に集光させる。
【００５１】
上記表示パネル１４０は液晶パネルであって、２つの透明な基板と液晶とを含み、透過される光と液晶駆動により情報を表示することができる。このような表示パネル１４０に対しては限定されず、変更できる。また、光ガイドプレート１０３の両側に表示パネルが配置できる。
【００５２】
このような表示装置は、携帯電話、ＰＭＰなどの携帯端末機やコンピュータに適用できる。
【００５３】
図９乃至図１２は、本発明の第２実施形態及び第３実施形態に従う表示装置で遂行されるディミングの例を示す図である。
【００５４】
まず、図９乃至図１１には光ガイドプレート１０３を挟んで第１発光モジュール２００と第２発光モジュール３００とが対向するように配置される場合が図示され、図１２には本発明の第３実施形態に従って第１発光モジュール２００と第２発光モジュール３００とが互いに垂直に配置される場合が図示される。
【００５５】
そして、図９乃至図１２に図示される発光素子も直進性に優れる第１発光素子２１１と、指向角特性に優れる第２発光素子２１２とが各々複数個形成される。
【００５６】
図９を参照すると、第１発光モジュール２００と第２発光モジュール３００両方とも第１発光素子と第２発光素子とが各々１つずつ交互に配列される例が図示され、表示パネルを通じて表示される映像に対し、第１領域６０１、第２領域６０２、及び第３領域６０３に局部的に輝度を向上させるために、上記制御部１１０は上記第１発光モジュール２００で図面符号２１１ａ、２１１ｂ、２１１ｃとして図示される第１発光素子を駆動させ、第２発光モジュール３００では図面符号３１１ａ、３１１ｂ、３１１ｃとして図示される第１発光素子を駆動させる。
【００５７】
即ち、上記制御部１１０は表示映像に対して局部的に明るさを調節しようとする場合に、表示映像の該当領域に対応する発光素子を選択する。ここで、上記制御部１１０は、図示されたように、上下方向に長く局部的に明るさを調節しようとする場合に、直進性に優れる第１発光素子のうち、該当領域に対応する第１発光素子を駆動させる。
【００５８】
そして、上記制御部１１０は直進性に優れる第１発光素子が駆動されることによって表れることができるホットスポットを減らすために、駆動される第１発光素子に隣接した第２発光素子２１２、３１２を共に駆動させることができる。
【００５９】
図１０には、第１発光モジュール２００と第２発光モジュール３００両方とも２つの第１発光素子と１つの第２発光素子とが繰り返して配列される場合が例示される。上記制御部１１０が表示映像のうち、第４領域６０４に対して局部的に明るさを調節しようとする場合に、上記制御部１１０は第４領域６０４に対応する発光素子を第１発光モジュール２００及び第２発光モジュール３００から選択する。
【００６０】
例えば、第１発光モジュール２００では図面符号２１１ｄ、２１１ｅとして図示される第１発光素子を駆動させ、第２発光モジュール３００では図面符号３１１ｄ、３１１ｅとして図示される第１発光素子を駆動させることができる。
【００６１】
この場合も、前述したように、直進性に優れる発光素子の駆動によって発生できるホットスポットを減らすために、駆動される第１発光素子に隣接した第２発光素子を共に駆動させることができる。
【００６２】
図１１には、第１発光モジュール２００と第２発光モジュール３００両方とも１つの第１発光素子と２つの第２発光素子とが繰り返して配列される場合が例示される。上記制御部１１０が表示映像のうち、第１領域６０１と第５領域６０５に対して局部的に明るさを調節しようとする場合に、上記制御部１１０は第１領域６０１と第５領域６０５に対応する発光素子を第１発光モジュール２００及び第２発光モジュール３００から選択する。
【００６３】
例えば、第１発光モジュール２００では図面符号２１１ｆ、２１１ｇとして図示される第１発光素子を駆動させ、第２発光モジュール３００では図面符号３１１ｆ、３１１ｇとして図示される第１発光素子を駆動させることができる。
【００６４】
この場合も、直進性に優れる発光素子の駆動により発生できるホットスポットを減らすために、駆動される第１発光素子に隣接した第２発光素子を共に駆動させることができる。
【００６５】
図１２には、本発明の第３実施形態に従って第１発光モジュール２００及び第２発光モジュール３００が上記光ガイドプレート１０３に対して互いに垂直に配置される場合が例示され、第１発光モジュール２００は２つの第２発光素子と１つの第１発光素子とが繰り返して配列される構造を有し、第２発光モジュール３００は第１発光素子及び第２発光素子が１つずつ規則的に配列される場合である。
【００６６】
この際、縦に長く形成される第１領域６０１及び第５領域６０５と、横に厚い厚さで長く形成される第６領域６０６に対し、局部的な明るさ調節を遂行しようとする場合に、上記制御部１１０は第１領域６０１及び第５領域６０５に対しては第１発光モジュール２００から対応する第１発光素子を選択し、第６領域６０６に対しては第２発光モジュール３００から対応する第１発光素子を選択する。
【００６７】
例えば、上記制御部１１０は、第１発光モジュール２００では図面符号２１１ｈ、２１１ｉとして図示される第１発光素子が駆動されるようにし、第２発光モジュール３００では図面符号３１１ｈとして図示される第１発光素子が駆動されるようにする。
【００６８】
ここで、図示されるような映像の局部ディミングが発光素子の選択的な駆動によって遂行できる。
【００６９】
図１３は、本発明の第４実施形態に従う表示装置の構成を概略的に示す図である。
【００７０】
図１３を参照すると、表示装置は発光素子２１０、３１０、４１０、５１０を含む光を発生させる発光モジュールとして第１発光モジュール乃至第４発光モジュール２００、３００、４００、５００を含み、反射プレート１０１、光ガイドプレート１０３、光学シート１０５、及び表示パネル１４０を含む。上記第１発光モジュール乃至第４発光モジュール２００、３００、４００、５００は、複数個の発光素子２１０、３１０、４１０、５１０が基板２２０、３２０、４２０、５２０に載置される構造からなることができる。
【００７１】
第１発光モジュール２００乃至第４発光モジュール５００の各々は、光ガイドプレート１０３の４側面に各々配置される。但し、各々の発光モジュールの内に取り付けられる第１発光素子及び第２発光素子の配列は、各々相異することができる。
【００７２】
上記第１発光モジュール２００乃至第４発光モジュール５００による表示映像の局部的な明るさ調節について説明する。
【００７３】
図１４乃至図１６は、本発明の第４実施形態に従う表示装置で遂行されるディミングの例を示す図である。
【００７４】
図１４を参照すると、図示されたように、上下方向で互いに対向するように配置された第１発光モジュール２００及び第３発光モジュール４００は、第１発光素子及び第２発光素子が各々１つずつ交互に繰り返して配列される構造を有し、これに反して、第２発光モジュール３００及び第４発光モジュール５００は、光指向角特性に優れる第２発光素子のみで配列される構造を有する。
【００７５】
このような場合に、表示映像に対する局部的な明るさ調節は光直進性に優れる第１発光素子が配列されている第１発光モジュール２００及び第３発光モジュール４００によって遂行される。
【００７６】
表示パネルを通じて表示される映像に対し、第１領域６０１、第２領域６０２、及び第３領域６０３に局部的に明るさを調節するために、上記制御部１１０は上記第１発光モジュール２００で図面符号２１１ａ、２１１ｂ、２１１ｃとして図示される第１発光素子を駆動させ、第３発光モジュール４００では図面符号４１１ａ、４１１ｂ、４１１ｃとして図示される第１発光素子を駆動させる。
【００７７】
即ち、上記制御部１１０は表示映像に対して局部的に明るさを調節しようとする場合に、表示映像の該当領域に対応する発光素子を選択する。ここで、上記制御部１１０は、図示されたように、上下方向に長く局部的に明るさを調節しようとする場合に、直進性に優れる第１発光素子のうち、該当領域に対応する第１発光素子を駆動させる。
【００７８】
そして、上記制御部１１０は直進性に優れる第１発光素子が駆動されるにつれて表れることができるホットスポットを減らすために、駆動される第１発光素子に隣接した第２発光素子を共に駆動させることができる。
【００７９】
図１５では、第１発光モジュール２００及び第３発光モジュール４００が２つの第１発光素子と１つの発光素子とが繰り返して配列される構造を有し、第２発光モジュール３００及び第４発光モジュール５００は第１発光素子と第２発光素子とが各々１つずつ繰り返して配列される構造を有する場合が図示される。
【００８０】
上記制御部１１０が表示映像のうち、第４領域６０４及び第６領域６０６に対して局部的に明るさを調節しようとする場合に、上記制御部１１０は第４領域６０４と第６領域６０６とに各々対応する発光素子を第１発光モジュール乃至第４発光モジュール２００、３００、４００、５００から選択する。
【００８１】
例えば、第１発光モジュール２００では図面符号２１１ｄ、２１１ｅとして図示される第１発光素子を駆動させ、第２発光モジュール３００では図面符号３１１ｈとして図示される第１発光素子を駆動させ、第３発光モジュール４００では図面符号４１１ｄ、４１１ｅとして図示される第１発光素子を駆動させ、第４発光モジュール５００では図面符号５１１ｈとして図示される発光素子を駆動させる。
【００８２】
この場合も、前述したように、直進性に優れる発光素子の駆動によって発生できるホットスポットを減らすために、駆動される第１発光素子に隣接した第２発光素子を共に駆動させることができる。
【００８３】
図１６には、第１発光モジュール２００及び第３発光モジュール４００が１つの第１発光素子と２つの発光素子とが繰り返して配列される構造を有し、第２発光モジュール３００及び第４発光モジュール５００は第１発光素子と第２発光素子とが各々１つずつ繰り返して配列される構造を有する場合が図示される。
【００８４】
この際、縦に長く形成される第１領域６０１及び第５領域６０５と、横に厚い厚さで長く形成される第６領域６０６に対し、局部的に明るさ調節を遂行しようとする場合に、上記制御部１１０は第１領域６０１及び第５領域６０５に対しては第１発光モジュール２００及び第３発光モジュール４００から対応する第１発光素子を選択し、第６領域６０６に対しては第２発光モジュール３００及び第４発光モジュール５００から対応する第１発光素子を選択する。
【００８５】
例えば、上記制御部１１０は第１発光モジュール２００では図面符号２１１ｈ、２１１ｉとして図示される第１発光素子を駆動させ、第２発光モジュール３００では図面符号３１１ｈとして図示される第１発光素子を駆動させ、第３発光モジュール４００では図面符号４１１ｈ、４１１ｉとして図示される第１発光素子を駆動させ、第４発光モジュール５００では図面符号５１１ｈとして図示される第１発光素子を駆動させる。
【００８６】
ここで、図示されるような映像の局部ディミングが発光素子の選択的な駆動により遂行できる。
【００８７】
このように、本実施形態は入力される映像データに従って表示映像を局部的に輝度を高くしたり低くする等のディミング機能と関連して、直進性に優れる発光素子と指向角の広い発光素子が選択的に駆動されるようにすることによって、ディミング効果を向上させることができるバックライトユニット及び表示装置を提案する。
【００８８】
以上、実施形態に説明された特徴、構造、効果などは、本発明の少なくとも１つの実施形態に含まれ、必ず１つの実施形態のみに限定されるのではない。延いては、各実施形態で例示された特徴、構造、効果などは、実施形態が属する分野の通常の知識を有する者により他の実施形態に対しても組合または変形されて実施可能である。したがって、このような組合と変形に関連した内容は本発明の範囲に含まれることと解釈されるべきである。
【００８９】
以上、実施形態を中心として説明したが、これは単に例示であり、本発明を限定するのでなく、本発明が属する分野の通常の知識を有する者であれば、本実施形態の本質的な特性から外れない範囲で以上に例示されていない種々の変形及び応用が可能であることが分かる。例えば、実施形態に具体的に表れた各構成要素は変形して実施することができる。そして、このような変形及び応用に関連した差異点は特許請求範囲で規定する本発明の範囲に含まれるものと解釈されるべきである。
【図１】
2011146383.tif 000003
【図２】
2011146383.tif 000004
【図３】
2011146383.tif 000005
【図４】
2011146383.tif 000006
【図５】
2011146383.tif 000007
【図６】
2011146383.tif 000008
【図７】
2011146383.tif 000009
【図８】
2011146383.tif 000010
【図９】
2011146383.tif 000011
【図１０】
2011146383.tif 000012
【図１１】
2011146383.tif 000013
【図１２】
2011146383.tif 000014
【図１３】
2011146383.tif 000015
【図１４】
2011146383.tif 000016
【図１５】
2011146383.tif 000017
【図１６】
2011146383.tif 000018